(57)【要約】【課題】施工性を向上させること。【解決手段】実施形態に係る大便器は、便器本体と、排水ソケットとを備える。便器本体は、背面に排水口を有する。排水ソケットは、壁面に設けられた排水配管の入り口と排水口とを接続する。便器本体の背面には、開口部と、ガイド部とを備える。開口部は、便器本体を壁面に取り付ける場合に、壁面から延びた管状部材が挿通される。ガイド部は、便器本体を壁面に取り付ける場合に、開口部に挿通された状態にある管状部材を排水ソケットの外側に移動するようにガイドする。【選択図】図２
2018115433.tif 000002
【特許請求の範囲】
【請求項１】
背面に排水口を有する便器本体と、壁面に設けられた排水配管の入り口と前記排水口とを接続する排水ソケットと、を備えた大便器であって、
前記便器本体の背面には、
該便器本体を前記壁面に取り付ける場合に、前記壁面から延びた管状部材が挿通される開口部と、
該便器本体を前記壁面に取り付ける場合に、前記開口部に挿通された状態にある前記管状部材を前記排水ソケットの外側に移動するようにガイドするガイド部と、
が形成されたことを特徴とする大便器。
【請求項２】
前記開口部は、
前記便器本体の背面における前記排水ソケットの左右の側端よりも外側に形成され、
前記ガイド部は、
前記開口部よりも左右の内側に設けられること
を特徴とする請求項１に記載の大便器。
【請求項３】
前記開口部は、
前記便器本体の背面における前記排水ソケットの左右の側端よりも下方に形成され、
前記ガイド部は、
前記開口部の上端よりも上方に延びて設けられること
を特徴とする請求項１または２に記載の大便器。
【請求項４】
前記開口部は、
下端が開放された切欠き状に形成されること
を特徴とする請求項１〜３のいずれか１つに記載の大便器。
【請求項５】
前記ガイド部は、
下方から上方に向かう途中に傾斜面を有すること
を特徴とする請求項３または４に記載の大便器。
【請求項６】
前記管状部材は、
前記壁面から自重で垂れ下がった状態では前記排水配管の入り口もしくは該排水配管に取り付けられた前記排水ソケットと重なること
を特徴とする請求項１〜５のいずれか１つに記載の大便器。
【請求項７】
背面に排水口を有する便器本体と、
壁面に設けられた排水配管の入り口と前記排水口とを接続する排水ソケットと、
前記壁面から延びた管状部材と、
前記便器本体の背面に設けられ、前記便器本体を前記壁面に取り付ける場合に前記管状部材が挿通される開口部と、
前記壁面における前記排水配管の入り口の外側に突設され、前記開口部に挿通された状態にある前記管状部材を前記排水ソケットの外側に位置させるように保持するガイド部と、
を備えることを特徴とする大便器装置。
【発明の詳細な説明】
【技術分野】
【０００１】
開示の実施形態は、大便器および大便器装置に関する。
【背景技術】
【０００２】
従来、壁掛け式の大便器は、便器本体を壁面に取り付ける場合に、便器本体の背面の排水口を、壁面に設けられた排水配管の入り口に排水ソケットを介して接続する。この場合、排水ソケットは、たとえば、排水配管の入り口または便器本体の背面の排水口に予め取り付けられている。
【０００３】
かかる大便器においては、便器本体の排水口を、排水ソケットを介して壁面の排水配管の入り口と接続する直前に、壁面から延びた給水ホースや電源ケーブルなどの管状部材を便器本体の背面に形成された開口部に挿通して便器本体の内部へと引き回すことがある（たとえば、特許文献１参照）。
【先行技術文献】
【特許文献】
【０００４】
【特許文献１】特開２０１６−１６３６５１号公報
【発明の概要】
【発明が解決しようとする課題】
【０００５】
しかしながら、上記したような従来の大便器では、便器本体の壁面への取り付け作業中、便器本体の背面の排水口と排水配管の入り口との接続時に、開口部に挿通させた管状部材が、排水ソケットと排水口との間、あるいは排水ソケットと排水配管が設けられた壁面との間に挟まってしまい、便器本体の取り付け作業を円滑に行えない場合がある。すなわち、上記したような従来の大便器は、施工性について改善の余地があった。
【０００６】
実施形態の一態様は、施工性を向上させることができる大便器および大便器装置を提供することを目的とする。
【課題を解決するための手段】
【０００７】
実施形態の一態様に係る大便器は、背面に排水口を有する便器本体と、壁面に設けられた排水配管の入り口と前記排水口とを接続する排水ソケットと、を備えた大便器であって、前記便器本体の背面には、該便器本体を前記壁面に取り付ける場合に、前記壁面から延びた管状部材が挿通される開口部と、該便器本体を前記壁面に取り付ける場合に、前記開口部に挿通された状態にある前記管状部材を前記排水ソケットの外側に移動するようにガイドするガイド部と、が形成されたことを特徴とする。
【０００８】
かかる構成によれば、便器本体を壁面に取り付ける場合に、開口部に挿通された状態にある管状部材がガイド部によって排水ソケットの外側に移動するようにガイドされる。これにより、便器本体の取り付け作業中に管状部材が、排水ソケットと排水口との間、あるいは排水ソケットと排水配管が設けられた壁面との間に挟まることを抑制することができ、施工性を向上させることができる。
【０００９】
また、上記した大便器では、前記開口部は、前記便器本体の背面における前記排水ソケットの左右の側端よりも外側に形成され、前記ガイド部は、前記開口部よりも左右の内側に設けられることを特徴とする。
【００１０】
かかる構成によれば、便器本体を壁面に取り付ける場合に、開口部によって管状部材が排水ソケットの中心から左右方向の外側に広がり、ガイド部によって排水ソケットの中心から左右方向の外側に広がった管状部材が排水ソケットの外側にガイドされるので、便器本体の取り付け作業中に管状部材が、排水ソケットと排水口との間、あるいは排水ソケットと排水配管が設けられた壁面との間に挟まることをより抑制することができる。
【００１１】
また、便器本体の取り付け作業中、管状部材が排水ソケットの外側に移動していることで便器本体の背面においてより左右方向の外側にあるため、管状部材に対してアプローチが容易となる。
【００１２】
また、上記した大便器では、前記開口部は、前記便器本体の背面における前記排水ソケットの左右の側端よりも下方に形成され、前記ガイド部は、前記開口部の上端よりも上方に延びて設けられることを特徴とする。
【００１３】
かかる構成によれば、便器本体を壁面に取り付ける場合に、開口部によって管状部材が排水ソケットの中心から左右方向の外側に確実に広がり、ガイド部によって排水ソケットの中心から左右方向の外側に広がった管状部材が排水ソケットの外側にガイドされるので、便器本体の取り付け作業中に管状部材が、排水ソケットと排水口との間、あるいは排水ソケットと排水配管が設けられた壁面との間に挟まることをより抑制することができる。
【００１４】
また、上記した大便器では、前記開口部は、下端が開放された切欠き状に形成されることを特徴とする。
【００１５】
かかる構成によれば、便器本体の取り付け作業中、管状部材を便器本体の下方から開口部に挿通することができる。このため、管状部材を開口部に挿通する作業が容易となる。
【００１６】
また、上記した大便器では、前記ガイド部は、下方から上方に向かう途中に傾斜面を有することを特徴とする。
【００１７】
かかる構成によれば、便器本体を壁面に取り付ける場合に、ガイド部の先端と壁面との間に隙間が形成されるため、管状部材がガイド部と壁面との間に挟まることを防止することができる。また、便器本体を壁面に取り付ける場合に、管状部材がガイド部の傾斜に沿って排水ソケットの外側に移動するようになり、便器本体の取り付け作業中に管状部材が、排水ソケットと排水口との間、あるいは排水ソケットと排水配管が設けられた壁面との間に挟まることをより抑制することができる。
【００１８】
また、上記した大便器では、前記管状部材は、前記壁面から自重で垂れ下がった状態では前記排水配管の入り口あるいは該排水配管に取り付けられた前記排水ソケットと重なることを特徴とする。
【００１９】
かかる構成によれば、管状部材が排水配管の入り口あるいは排水配管に取り付けられた排水ソケットと重なっているような場合でも、便器本体を壁面に取り付ける場合に、管状部材と排水ソケットとの干渉を避けることができる。
【００２０】
また、実施形態の一態様に係る大便器装置は、背面に排水口を有する便器本体と、壁面に設けられた排水配管の入り口と前記排水口とを接続する排水ソケットと、前記壁面から延びた管状部材と、前記便器本体の背面に設けられ、前記便器本体を前記壁面に取り付ける場合に前記管状部材が挿通される開口部と、前記壁面における前記排水配管の入り口の外側に突設され、前記開口部に挿通された状態にある前記管状部材を前記排水ソケットの外側に位置させるように保持するガイド部と、を備えることを特徴とする。
【００２１】
かかる構成によれば、便器本体を壁面に取り付ける場合に、ガイド部によって管状部材が排水ソケットの外側に位置するように保持される。これにより、便器本体の取り付け作業中に管状部材が、排水ソケットと排水口との間、あるいは排水ソケットと排水配管が設けられた壁面との間に挟まることを抑制することができ、施工性を向上させることができる。
【発明の効果】
【００２２】
実施形態の一態様によれば、施工性を向上させることができる。
【図面の簡単な説明】
【００２３】
【図１】図１は、実施形態に係る大便器の左側面図である。
【図２】図２は、便器本体の斜視図である。
【図３】図３は、便器本体の要部拡大斜視図である。
【図４Ａ】図４Ａは、便器本体が取り付けられる壁面の斜視図である。
【図４Ｂ】図４Ｂは、便器本体が取り付けられる壁面の正面図である。
【図５】図５は、便器本体の取り付け状態の斜視図である。
【図６Ａ】図６Ａは、便器本体の取り付け時における管状部材の動作説明図（その１）である。
【図６Ｂ】図６Ｂは、便器本体の取り付け時における管状部材の動作説明図（その２）である。
【図７】図７は、実施形態に係る大便器装置の説明図である。
【発明を実施するための形態】
【００２４】
以下、添付図面を参照して、本願の開示する大便器および大便器装置の実施形態を詳細に説明する。なお、以下に示す実施形態によりこの発明が限定されるものではない。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００２５】
＜大便器１の全体構成＞
まず、図１を参照して実施形態に係る大便器１の全体構成について説明する。図１は、実施形態に係る大便器１の左側面図である。なお、図１には、大便器１を壁面１０に取り付けた状態を示している。また、図１には、壁面１０および床面１１を断面で示している。
【００２６】
また、図１には、説明をわかりやすくするために、鉛直上向きを正方向とするＺ軸を含む３次元の直交座標系を図示している。かかる直交座標系は、他の図においても図示している場合がある。かかる直交座標系では、Ｙ軸の正方向を正面、Ｘ軸の正方向を左側面、Ｘ軸の負方向を右側面、Ｚ軸の負方向を平面（「上面」ともいう）と規定している。このため、以下の説明において、Ｘ軸方向を左右方向、Ｙ軸方向を前後方向、Ｚ軸方向を上下方向という場合がある。
【００２７】
また、実施形態に係る大便器１は、壁面１０に取り付けられる、いわゆる壁掛け式の大便器である。なお、本実施形態においては、大便器１として、水洗式の大便器（水洗大便器）を例示している。図１に示すように、大便器１は、便器本体２と、局部洗浄装置３とを備える。便器本体２は、たとえば陶器製である。なお、便器本体２の詳細については、図２および図３を用いて後述する。
【００２８】
局部洗浄装置３は、洗浄ノズル、ノズル駆動用モータ、モータ制御装置（いずれも図示せず）などを有する機能部４を備える。局部洗浄装置３は、使用者の局部洗浄用として便器本体２の上部に設けられ、洗浄ノズルから噴出させた洗浄水によって使用者の局部を洗浄する。機能部４は、ケーシングのたとえば後部左側に露出部４ａを備える。また、機能部４は、露出部４ａを覆う遮蔽板４ｂを備える。
【００２９】
大便器１は、上記したように、壁面１０に取り付けられる。大便器１を壁面１０に取り付けた状態では、大便器１は、床面１１とは離間している。壁面１０の内側には、洗浄水を貯留する貯水タンク１２が設けられる。なお、「壁面１０の内側」とは、壁面１０における大便器１が設置される室（トイレ室）とは反対の面側を意味する。大便器１においては、貯水タンク１２に接続された給水配管１３を経て、大便器１の便器本体２に洗浄水が供給される。
【００３０】
ここで、大便器１（水洗大便器）においては、局部洗浄装置３に接続される、あるいは局部洗浄装置３から延びる管状部材２３，２４（図４Ａおよび図４Ｂ参照）を、便器本体２の内部に収納することで外部に見せないように隠蔽する、いわゆる給水給電隠蔽が施される。壁面１０の内側には、管状部材である給水ホース２３が接続される給水ホース接続部１４および管状部材である電源ケーブル２４が接続される電源ケーブル接続部１５が設けられる。
【００３１】
なお、たとえば、パイプ（フレキシブルパイプ）、ホース、ケーブルやコードといった電線などのような軟性を有する長い部材を総称して「管状部材」という。
【００３２】
局部洗浄装置３のケーシングの後部左側に設けられた露出部４ａには、給水ホース２３および電源ケーブル２４の基端部が接続される。上記したように、露出部４ａは、局部洗浄装置３と給水ホース２３および電源ケーブル２４の接続部分を隠すために、遮蔽板４ｂによって覆われる。なお、給水ホース２３の先端部には、接続用金具２３ａ（図４Ａ参照）が設けられる。電源ケーブル２４の先端部には、プラグ２４ａ（図４Ａ参照）が設けられる。
【００３３】
＜便器本体２＞
次に、図２を参照して便器本体２について説明する。図２は、便器本体２の斜視図である。図３は、便器本体２の要部拡大斜視図である。なお、図２および図３には、便器本体２の背面を示すために、便器本体２を後方から見た場合をそれぞれ示している。
【００３４】
図２に示すように、便器本体２は、上面に、ボウル部２ａと、挿通孔２ｂとを備える。ボウル部２ａは、汚物を受けるボウル形状の受け面を備える。ボウル部２ａは、排水管路（図示せず）を介して、後述する排水口５に通じている。挿通孔２ｂは、便器本体２の内部に引き回された給水ホース２３および電源ケーブル２４が挿通される。給水ホース２３および電源ケーブル２４は、挿通孔２ｂを介して便器本体２の内部から便器本体２の上面に引き出され、機能部４（図１参照）に接続される。
【００３５】
また、便器本体２は、背面に、排水口５と、給水口６と、挿通孔７，７と、ガイド部８，８と、開口部９，９とを備える。排水口５は、便器本体２の背面における略中央に設けられる。排水口５は、開口の周囲に設けられた、たとえば円筒状の外壁５ａを有する。排水口５は、外壁５ａを接続部として排水ソケット２０の接続口２０ａ（図４Ａ参照）に接続される。排水口５は、排水ソケット２０（図４Ａ参照）を介して壁面１０（図４Ａ参照）の後述する排水配管の入り口１６（図４Ｂ参照）と接続される。
【００３６】
給水口６は、便器本体２の背面において排水口５の上方に形成される。給水口６は、壁面１０の後述する給水配管の接続部２１（図４Ａ参照）に接続される。挿通孔７，７は、便器本体２の背面において上下方向（Ｚ軸方向）における排水口５と給水口６との間であって背面の中心線Ａから左右方向（Ｘ軸方向）に対称に形成される。挿通孔７，７には、壁面１０の後述する支持部材２２，２２がそれぞれ挿通される。
【００３７】
ガイド部８，８は、便器本体２の背面における排水口５の下方において背面の中心線Ａから左右方向に対称に突設される。ガイド部８，８は、排水口５の外壁５ａよりも外側に設けられる。この場合の「外側」とは、便器本体２の背面において背面視で排水口５の中心から離れる向きとなる側である。一方、「内側」とは、便器本体２の背面において背面視で排水口５の中心に近づく向きとなる側である。ガイド部８，８は、便器本体２の背面から後方（Ｙ軸の正方向）に突出するとともに、上下方向に延びたリブ状に形成される。
【００３８】
ガイド部８，８は、便器本体２を壁面１０に取り付ける場合に、便器本体２が人手などによって壁面１０に近づけられるにつれて、壁面１０から延びた管状部材である給水ホース２３および電源ケーブル２４（図４Ａ、図４Ｂ等参照）を先端面上において摺動させる。
【００３９】
ガイド部８，８は、給水ホース２３および電源ケーブル２４が、排水口５に接続される排水ソケット２０（図４Ａ、図４Ｂ等参照）の外側に移動するように、給水ホース２３および電源ケーブル２４をガイドする。なお、ガイド部８，８による給水ホース２３および電源ケーブル２４の動作については、図６Ａおよび図６Ｂを用いて後述する。
【００４０】
また、ガイド部８，８は、下端において左右方向に延びたリブによって連結されてＵ字形状を形成している。また、ガイド部８，８は、便器本体２が壁面１０に取り付けられた場合に、先端面が壁面１０に当接することで、壁面１０に取り付けられた便器本体２を支持する支持部となる。
【００４１】
図３に示すように、ガイド部８，８は、上下方向において下方から上方に向かう途中に傾斜面８ａ，８ａをそれぞれ有する。
【００４２】
開口部９，９は、便器本体２の背面において背面の中心線Ａから左右方向に対称に形成される。開口部９，９は、便器本体２の背面における左右方向の両側端に、下端が開放された切欠き状に形成される。開口部９，９には、管状部材である給水ホース２３および電源ケーブル２４が挿通される。便器本体２を壁面１０に取り付ける場合、便器本体２を壁面１０に取り付ける前に人手などによって給水ホース２３および電源ケーブル２４を開口部９，９に挿通させておく。
【００４３】
また、開口部９，９は、便器本体２の背面における排水口５の左右方向の側端よりも外側（便器本体２の背面において背面視で排水口５の中心から離れる向きとなる側）に形成されることが好ましい。また、開口部９，９は、便器本体２の背面における排水口５に接続される後述する排水ソケット２０（図４Ａ参照）の左右方向の側端よりも外側に形成されることが好ましい。この場合、ガイド部８，８は、排水口５の左右方向の側端の外側にある開口部９，９よりも左右方向の内側（便器本体２の背面において背面視で排水口５の中心に近づく向きとなる側）に設けられることが好ましい。
【００４４】
なお、開口部９，９は、開口全体が排水口５の左右方向の側端よりも外側に位置している必要はなく、左右いずれかの側端が背面視において排水口５の左右方向の側端よりも外側に位置する（はみ出す）ように形成されている。
【００４５】
また、図３に示すように、開口部９，９は、便器本体２の背面における排水口５の左右方向の側端よりも下方に形成されることが好ましい。また、開口部９，９は、便器本体２の背面において排水口５に接続される後述する排水ソケット２０の左右方向の側端よりも下方に形成されることが好ましい。この場合、ガイド部８，８は、排水口５の左右方向の側端よりも下方にある開口部９，９の上端（上端線Ｂ）よりも上方に延びていることが好ましい。
【００４６】
なお、図２に示すように、開口部９，９は、便器本体２の背面に形成された凹み空間Ｓ，Ｓに形成される。凹み空間Ｓ，Ｓは、便器本体２の背面において、排水口５の左右の側端の外側にそれぞれ形成され、便器本体２を後述する壁面１０（図４Ａ参照）に取り付けた場合に、壁面１０から開口部９，９へと導かれた管状部材（給水ホース２３および電源ケーブル２４）を収容する空間である。
【００４７】
＜壁面１０＞
次に、図４Ａおよび図４Ｂを参照して便器本体２が取り付けられる壁面１０について説明する。図４Ａは、便器本体２が取り付けられる壁面１０の斜視図である。図４Ｂは、便器本体２が取り付けられる壁面の正面図である。
【００４８】
図４Ａおよび図４Ｂに示すように、壁面１０は、床面１１に対して直交する垂直面である。壁面１０には、排水配管の入り口１６、給水配管（図示せず）の接続部２１、支持部材２２，２２、管状部材である給水ホース２３、管状部材である電源ケーブル２４などが設けられる。
【００４９】
排水配管の入り口１６は、壁面１０に設けられるとともに、壁面１０からトイレ室側に突出している。また、排水配管の入り口１６には、排水ソケット２０が取り付けられる。排水ソケット２０は、排水配管の入り口１６と、便器本体２の背面の排水口５とを接続する。なお、本実施形態では、排水ソケット２０が排水配管の入り口１６に予め取り付けられている例を説明しているが、たとえば、排水ソケット２０が便器本体２の背面の排水口５に予め取り付けられていてもよい。
【００５０】
給水配管の接続部２１は、壁面１０における排水配管の入り口１６および排水ソケット２０の上方に突設される。給水配管の接続部２１は、便器本体２の背面の給水口６に接続され、便器本体２に洗浄水を給水する。
【００５１】
支持部材２２，２２は、ロッド状に形成され、壁面１０において上下方向（Ｚ軸方向）における排水配管の入り口１６と給水配管の接続部２１との間であって左右方向（Ｘ軸方向）に対称に設けられるとともに、壁面１０から前方（Ｙ軸の負方向）に突出している。
【００５２】
管状部材である給水ホース２３および電源ケーブル２４は、支持部材２２，２２よりも内側（便器本体２の背面において背面視で面内の中心に近づく向きとなる側）に左右方向に並んで設けられる。給水ホース２３および電源ケーブル２４は共に、壁面１０から延びており、自重で垂れ下がった状態では、図４Ｂに示すように、平面視で（Ｙ軸の正方向に見て）排水配管の入り口１６もしくは排水ソケット２０と重なる。
【００５３】
このように、管状部材である給水ホース２３および電源ケーブル２４が平面視で排水配管の入り口１６もしくは排水ソケット２０と重なるため、便器本体２を壁面１０に取り付ける場合に、便器本体２の背面の排水口５と排水配管の入り口１６に取り付けられた排水ソケット２０との間（排水ソケット２０が便器本体２の背面の排水口５に取り付けられている場合は、排水ソケット２０と排水配管が設けられた壁面１０との間）に給水ホース２３および電源ケーブル２４が挟まることがあった。また、便器本体２は、比較的重量があり、床面１１から隙間をあけて壁面１０に対して水平に便器本体２を取り付ける必要がある。このため、便器本体２の取り付け作業は煩雑なものであった。
【００５４】
実施形態に係る大便器１では、ガイド部８，８によって給水ホース２３および電源ケーブル２４が、排水口５が接続される排水ソケット２０を自動的に避けるように構成されている。なお、この場合、作業者は、壁面１０に向けて便器本体２を近づけていくだけでよい。
【００５５】
＜便器本体２の取り付け手順＞
次に、図５〜図６Ｂを参照して便器本体２を壁面１０に取り付ける手順について説明する。図５は、便器本体２の取り付け状態の斜視図である。図６Ａおよび図６Ｂは、便器本体２の取り付け時における管状部材２３，２４の動作説明図である。なお、図６Ａおよび図６Ｂには、壁面１０から便器本体２を見た場合を示している。
【００５６】
図５に示すように、便器本体２を壁面１０に取り付けた状態では、管状部材である給水ホース２３および電源ケーブル２４は、開口部９，９を介して便器本体２の内部に引き回される。なお、給水ホース２３および電源ケーブル２４は、便器本体２の上面の挿通孔２ｂ（図２参照）に挿通されて便器本体２の上面側に引き出され、給水ホース２３の接続用金具２３ａおよび電源ケーブル２４のプラグ２４ａによって機能部４（図１参照）に接続される。
【００５７】
また、便器本体２の挿通孔７，７に壁面１０から突出している支持部材２２，２２が挿通されることで、便器本体２を壁面１０で支持する。なお、上記したように、便器本体２のガイド部８，８も、便器本体２を壁面１０で支持する支持部として機能する。
【００５８】
ここで、便器本体２を壁面１０に取り付ける場合、まず、人手で給水ホース２３および電源ケーブル２４を便器本体２の開口部９，９にそれぞれ挿通しておく。次に、便器本体２を、人手で抱えるなどして、壁面１０に対して水平となるように壁面１０に徐々に近づけていく。次に、壁面１０の排水配管の入り口１６（図４Ｂ参照）などの壁面１０側の各部に、便器本体２の排水口５などの便器本体２側において対応する各部を接続する。これにより、便器本体２の壁面１０への取り付けが完了する。
【００５９】
また、便器本体２を壁面１０に近づけていく過程において、ガイド部８，８が、管状部材である給水ホース２３および電源ケーブル２４を、排水ソケット２０の外側に移動するようにガイドする。このとき、図６Ａに示すように、給水ホース２３および電源ケーブル２４は、ガイド部８，８の傾斜面８ａ，８ａを上方へと摺動し、図６Ｂに示すように、排水ソケット２０が排水配管の入り口１６に予め取り付けられている場合は、排水口５と排水ソケット２０との間の空間（前後方向の空間）を避けるように、排水ソケット２０の中心から左右方向に分かれるように外側に広がる。
【００６０】
上記した実施形態に係る大便器１によれば、便器本体２を壁面１０に取り付ける場合に、開口部９，９に挿通された状態にある管状部材である給水ホース２３および電源ケーブル２４がガイド部８，８によって排水ソケット２０の外側（壁面１０内において正面視で排水ソケット２０の中心から離れる向きとなる側）に移動するようにガイドされる。これにより、便器本体２の取り付け作業中に給水ホース２３および電源ケーブル２４が、排水ソケット２０と排水口５との間（排水ソケット２０が便器本体２の背面の排水口５に取り付けられている場合は、排水ソケット２０と排水配管が設けられた壁面１０との間）に挟まることを抑制することができ、施工性を向上させることができる。
【００６１】
また、上記した大便器１によれば、開口部９，９が便器本体２の背面における排水口５の左右方向の側端よりも外側（便器本体２の背面内において背面視で排水口５の中心から離れる向きとなる側）に形成されるとともに、ガイド部８，８が開口部９，９よりも左右方向の内側（便器本体２の背面内において背面視で排水口５の中心に近づく向きとなる側）に設けられる。これにより、便器本体２を壁面１０に取り付ける場合に、開口部９，９によって給水ホース２３および電源ケーブル２４が排水口５の中心（図２における中心線Ａ）から左右方向の外側に広がり、ガイド部８，８によって排水口５の中心（中心線Ａ）から左右方向の外側に広がった給水ホース２３および電源ケーブル２４が排水ソケット２０の外側にガイドされるので、便器本体２の取り付け作業中に給水ホース２３および電源ケーブル２４が、排水ソケット２０と排水口５との間（排水ソケット２０が便器本体２の背面の排水口５に取り付けられている場合は、排水ソケット２０と排水配管が設けられた壁面１０との間）に挟まることをより抑制することができる。
【００６２】
また、便器本体２の取り付け作業中、給水ホース２３および電源ケーブル２４が排水ソケット２０の外側に移動していることで便器本体２の背面においてより左右方向の外側にあるため、給水ホース２３および電源ケーブル２４に対して、たとえば便器本体２の内部に引き回すためのアプローチが容易となる。
【００６３】
また、上記した大便器１によれば、開口部９，９が便器本体２の背面における排水口５の左右方向の側端よりも下方に形成されるとともに、ガイド部８，８が開口部９，９の上端よりも上方に延びて設けられる。これにより、便器本体２を壁面１０に取り付ける場合に、開口部９，９によって給水ホース２３および電源ケーブル２４が排水口５の中心（図２における中心線Ａ）から左右方向の外側に確実に広がり、ガイド部８，８によって排水口５の中心（中心線Ａ）から左右方向の外側に広がった給水ホース２３および電源ケーブル２４が排水ソケット２０の外側にガイドされるので、便器本体２の取り付け作業中に給水ホース２３および電源ケーブル２４が、排水ソケット２０と排水口５との間（排水ソケット２０が便器本体２の背面の排水口５に取り付けられている場合は、排水ソケット２０と排水配管が設けられた壁面１０との間）に挟まることをより抑制することができる。
【００６４】
また、上記した大便器１によれば、ガイド部８，８が下方から上方に向かう途中に前後方向において後方から前方に向けて傾斜した傾斜面８ａ，８ａを有することで、便器本体２を壁面１０に取り付けた状態で、ガイド部８，８の後方の端面と壁面１０との間に隙間が形成される。これにより、便器本体２を壁面１０に取り付けた状態で給水ホース２３および電源ケーブル２４が、ガイド部８，８と壁面１０との間に挟まることを抑制することができる。
【００６５】
また、便器本体２を壁面１０に取り付ける場合に、給水ホース２３および電源ケーブル２４がガイド部８，８の傾斜面８ａ，８ａに沿って排水ソケット２０の外側に移動するようになり、便器本体２の取り付け作業中に給水ホース２３および電源ケーブル２４が、排水ソケット２０と排水口５との間（排水ソケット２０が便器本体２の背面の排水口５に取り付けられている場合は、排水ソケット２０と排水配管が設けられた壁面１０との間）に挟まることをより抑制することができる。
【００６６】
また、上記した大便器１によれば、開口部９，９は、下端が開放された切欠き状に形成される。これにより、便器本体２の取り付け作業中、給水ホース２３および電源ケーブル２４を便器本体２の下方から開口部９，９に挿通することができる。このため、給水ホース２３および電源ケーブル２４を開口部９，９に挿通する作業が容易となる。
【００６７】
なお、上記した実施形態では、開口部９，９が切欠き状であるが、これに限定されず、開口部９，９がたとえば貫通孔であってもよい。かかる構成とすれば、便器本体２を壁面１０に取り付ける場合に、管状部材である給水ホース２３および電源ケーブル２４を開口部９，９に保持することができ、取り付け作業中における管状部材２３，２４の便器本体２からの脱落などを抑制することができる。
【００６８】
また、管状部材は、１つあるいは３つ以上であってもよい。管状部材が１つあるいは３つ以上であっても、ガイド部８，８によって、かかる管状部材が排水ソケット２０と排水口５との間に挟まることを抑制することができる。
【００６９】
＜大便器装置３０＞
次に、図７を参照して実施形態に係る大便器装置３０について説明する。図７は、実施形態に係る大便器装置３０の説明図である。なお、図７には、壁面１０の模式的な正面図を示している。図７に示すように、大便器装置３０は、便器本体３１と、ガイド部３２，３２とを備える。なお、便器本体３１は、上記した実施形態に係る大便器１の便器本体２とは、ガイド部３２，３２を背面に有しない点で構成が相違する。
【００７０】
便器本体３１は、便器本体２（図２参照）と同様、上面に、ボウル部と、挿通孔とを備える。また、便器本体３１は、便器本体２と同様、背面に、排水口５と、給水口と、挿通孔（支持孔）と、開口部とを備える。
【００７１】
また、大便器装置３０は、便器本体３１および後述するガイド部３２，３２の他、排水ソケット２０と、管状部材（給水ホース２３および電源ケーブル２４）とを備える。
【００７２】
ガイド部３２，３２は、壁面１０における排水配管の入り口（図示せず）の外周面の外側に設けられる。詳細には、ガイド部３２，３２は、排水配管の入り口に接続される排水ソケット２０の外側（壁面１０内において正面視で排水ソケット２０の中心から離れる向きとなる側）に設けられる。
【００７３】
ガイド部３２，３２は、壁面１０から突出している。ガイド部３２，３２は、リブ状に形成される。ガイド部３２，３２は、壁面１０の面上において管状部材である給水ホース２３および電源ケーブル２４を保持する。ガイド部３２，３２は、給水ホース２３および電源ケーブル２４がガイド部３２，３２に保持された状態で、便器本体３１の背面の排水口５と排水配管の入り口とを接続する排水ソケット２０を避けるように、排水ソケット２０と干渉しない位置に設けられる。
【００７４】
かかる構成によれば、便器本体を壁面１０に取り付ける場合に、ガイド部３２，３２によって管状部材である給水ホース２３および電源ケーブル２４が排水ソケット２０の外側に位置するように保持される。これにより、便器本体３１の取り付け作業中に給水ホース２３および電源ケーブル２４が、排水ソケット２０と排水口５との間（排水ソケット２０が便器本体２の背面の排水口５に取り付けられている場合は、排水ソケット２０と排水配管が設けられた壁面１０との間）に挟まることを抑制することができ、施工性を向上させることができる。
【００７５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７６】
１    大便器
２    便器本体
３    局部洗浄装置
４    機能部
５    排水口
５ａ  外壁
６    給水口
７    挿通孔（支持孔）
８    ガイド部
８ａ  傾斜面
９    開口部
１０    壁面
１６    排水配管の入り口
２０    排水ソケット
２２    支持部材
２３    管状部材（給水ホース）
２４    管状部材（電源ケーブル）
３０    大便器装置
３１    便器本体
３２    ガイド部
【図１】
2018115433.tif 000003
【図２】
2018115433.tif 000004
【図３】
2018115433.tif 000005
【図４Ａ】
2018115433.tif 000006
【図４Ｂ】
2018115433.tif 000007
【図５】
2018115433.tif 000008
【図６Ａ】
2018115433.tif 000009
【図６Ｂ】
2018115433.tif 000010
【図７】
2018115433.tif 000011